(57)【要約】【課題】物品の紛失、盗難を未然に防止することができる物品貸出システムを提供する。【解決手段】本発明のゴルフクラブ貸出システム５０は、ゴルフクラブ（貸出物品）１０を収納し且つゴルフクラブ１０の取り出しを規制するロック装置（取出し規制手段）８、ゴルフクラブ１０に関する情報を記録したＲＦＩＤタグ（物品側記録媒体）２０を読み取るクラブ情報リーダ（物品情報リーダ）１１、ゴルフクラブ１０の利用者が所持するＩＣカード（利用者情報記録媒体）５の記録情報を読み取るＩＣカードリーダ（利用者情報リーダ）６を備えたゴルフクラブスタンド（物品収納手段）２と、ゴルフクラブ１０に関する情報並びに利用者情報の管理を行うサーバ１と、利用者のチェックイン及びチェックアウトを管理するクライアントＰＣ３と、ゴルフクラブスタンド３、サーバ１、及びクライアントＰＣ３を接続するＬＡＮ（ネットワーク）４と、を備えて構成されている。【選択図】図１
2012089062.tif 000002
【特許請求の範囲】
【請求項１】
貸出物品を収納し且つ該貸出物品の取り出しを規制する取出し規制手段、前記貸出物品に関する情報を記録した物品側記録媒体を読み取る物品情報リーダ、該貸出物品の利用者が所持する利用者情報記録媒体の記録情報を読み取る利用者情報リーダを備えた物品収納手段と、
前記貸出物品に関する情報並びに利用者情報の管理を行うサーバと、
前記利用者のチェックイン及びチェックアウトを管理するクライアントＰＣと、
前記物品収納手段、前記サーバ、及び前記クライアントＰＣを接続するネットワークと、を備えたことを特徴とする物品貸出システム。
【請求項２】
前記サーバは、前記物品収納手段、及び前記クライアントＰＣとの通信制御、前記貸出物品に係る課金制御、及び該貸出物品に関する情報並びに前記利用者情報の管理を行い、前記物品収納手段から送信された前記貸出物品に関する情報、並びに前記利用者情報に基づいて前記取出し規制手段を制御すると共に、利用者毎の物品の貸し出し、及び返却を管理して該結果を前記クライアントＰＣに送信し、
前記クライアントＰＣは、該結果に基づいて前記利用者の課金処理を行うことを特徴とする請求項１に記載の物品貸出システム。
【請求項３】
前記貸出物品はゴルフクラブであり、前記物品収納手段は複数本の該ゴルフクラブを収納するゴルフクラブ収納手段であり、該各ゴルフクラブは個別のゴルフクラブ情報を記録した非接触記録媒体を備え、
前記ゴルフクラブ収納手段は、収納された各ゴルフクラブに夫々付された前記物品側記録媒体と対応する位置に配置された前記物品情報リーダと、該物品情報リーダ、及び前記利用者情報リーダにより夫々読み取った情報を前記サーバに送信するとともに、前記サーバから受信した駆動信号又は解除信号に基づいて前記取出し規制手段を制御する制御手段と、を備え、
前記サーバは、前記利用者情報リーダにより読み取られたＩＤに基づいて前記制御手段に対して前記駆動信号又は解除信号を送信するとともに、前記利用者毎の前記ゴルフクラブの貸出、及び返却をリアルタイムに管理して該結果を前記クライアントＰＣに送信することを特徴とする請求項１又は２に記載の物品貸出システム。
【請求項４】
前記サーバは、前記利用者情報リーダにより読み取られた前記ＩＤが正規の会員であることを認証すると前記ゴルフクラブ収納手段に備えられた前記取出し規制手段のロック状態を解除し、前記利用者情報リーダから該利用者情報記録媒体が取り除かれたことにより前記取出し規制手段を駆動してゴルフクラブをロック状態とし、前記物品情報リーダにより読み取られた前記非接触記録媒体の情報の変化を検出して前記ゴルフクラブが貸し出されたか、或いは返却されたかの履歴情報を作成することを特徴とする請求項１乃至３の何れか一項に記載の物品貸出システム。
【請求項５】
前記ゴルフクラブ収納手段に、利用者が近接したことを検知する人感センサを備え、前記制御手段は、前記人感センサにより利用者を検知しないときに前記利用者情報リーダに前記利用者情報記録媒体がセットされていた場合、該利用者情報記録媒体が置き忘れた旨を報知する報知手段を備えたことを特徴とする請求項１乃至４の何れか一項に記載の物品貸出システム。
【発明の詳細な説明】
【技術分野】
【０００１】
本発明は、物品貸出システムに関し、さらに詳しくは、取出し規制手段を備えた物品収納手段に収納した物品を自動的に管理して利用者に貸し出す、物品貸出システムに関するものである。
【背景技術】
【０００２】
近年、ゴルフ練習場では、自分のゴルフクラブを持参して練習する利用者以外に、ゴルフ練習場に備えた貸しクラブを利用して練習する利用者が増加している。また、自分のゴルフクラブをゴルフ練習場に預けておき、それを使用する利用者もいる。いずれにしても、練習の都度ゴルフクラブを持参しないで、練習場にあるゴルフクラブを使用して身軽に練習場に来たいと言う要望があり、練習場側では、貸しクラブを備えておくことが他の練習場との差別化を行う手段となっている。しかし、貸しクラブの管理は従業員が行わなければならないため、ゴルフクラブの返却や貸し出しの管理が十分でない場合には、ゴルフクラブを紛失したり、盗難に遭うといった問題が発生する。
尚、特許文献１には、ゴルフクラブに、非接触ＩＣタグを内蔵し、非接触ＩＣタグに識別情報を登録しておき、ゴルフクラブの陳列スタンド、キャディバッグ、ゴルフカート、店舗やゴルフ倶楽部の倶楽部ハウスの出入り口に設けたゲートに、タグデータの読取り手段を設け、識別情報を検出してゴルフクラブの存否を判断し、ゴルフクラブの紛失、盗難防止を目的としたゴルフクラブ管理装置について開示されている。
【先行技術文献】
【特許文献】
【０００３】
【特許文献１】特開２００７−１６７１９５公報
【発明の概要】
【発明が解決しようとする課題】
【０００４】
しかし、特許文献１に開示されている従来技術は、ゴルフクラブ格納装置（例えば陳列スタンド、或いはゴルフバッグ等）にアンテナを備えて、ゴルフクラブに備えられた非接触ＩＣタグの識別情報を読み取って紛失、盗難を防止するシステムであるが、盗難に遭った場合に相手を確実に特定できず、本来の目的を達成できないといった問題がある。
本発明は、かかる課題に鑑みてなされたものであり、物品を収納する物品収納手段に、物品の取出しを規制する取出し規制手段、認証された利用者が所持する利用者カードのＩＤを読み取る利用者情報リーダ、及び各物品に備えられた物品情報を読み取る物品情報リーダを備え、認証された利用者のみに取出し規制手段による物品のロック状態を解除して物品の貸し出しを許可して、各利用者毎の貸し出し、返却の履歴情報を管理することにより、物品の紛失、盗難を未然に防止することができる物品貸出システムを提供することを目的とする。
【課題を解決するための手段】
【０００５】
本発明はかかる課題を解決するために、請求項１は、貸出物品を収納し且つ該貸出物品の取り出しを規制する取出し規制手段、前記貸出物品に関する情報を記録した物品側記録媒体を読み取る物品情報リーダ、該貸出物品の利用者が所持する利用者情報記録媒体の記録情報を読み取る利用者情報リーダを備えた物品収納手段と、前記貸出物品に関する情報並びに利用者情報の管理を行うサーバと、前記利用者のチェックイン及びチェックアウトを管理するクライアントＰＣと、前記物品収納手段、前記サーバ、及び前記クライアントＰＣを接続するネットワークと、を備えたことを特徴とする。
本発明の物品貸出システムは、物品の貸出、返却を無人化して、確実に物品の貸出及び返却の管理を行い、その結果、物品の紛失及び盗難を防止するものである。そのために、物品の取出しを規制する取出し規制手段と、誰に物品の貸出を行ったかを確認するための利用者情報リーダと、どの物品が貸し出されたかを確認する物品情報リーダと、を備えた物品収納手段を用いている。そして、物品収納手段はネットワークによりサーバと接続され、各リーダから読み取られた情報に基づいて誰が、何時、どの物品を借りて、何時に返却したかを自動的に管理する。更に、貸し出された物品の課金管理を行うためのクライアントＰＣを備える。これにより、物品の貸出及び返却を自動的に行うと共に、貸出物品の課金処理を確実に行うことができる。
【０００６】
請求項２は、前記サーバは、前記物品収納手段、及び前記クライアントＰＣとの通信制御、前記貸出物品に係る課金制御、及び該貸出物品に関する情報並びに前記利用者情報の管理を行い、前記物品収納手段から送信された前記貸出物品に関する情報、並びに前記利用者情報に基づいて、前記取出し規制手段を制御すると共に、利用者毎の物品の貸し出し、及び返却を管理して該結果を前記クライアントＰＣに送信し、前記クライアントＰＣは、該結果に基づいて前記利用者の課金処理を行うことを特徴とする。
各利用者毎の物品の貸出及び返却情報は、リアルタイムにネットワークを介してサーバに通知される必要がある。従って、サーバは物品収納手段と常時、通信を行って情報の変化を検知する必要がある。また、サーバは、利用者のチェックイン及びチェックアウトの度に、その利用者に必要な情報をクライアントＰＣに送信する必要がある。また、サーバは、利用者に貸し出した物品ごとの貸出料を計算して、課金情報としてクライアントＰＣに提供する必要がある。更に、各利用者ごとの物品の貸出、返却の履歴情報を正確に管理する必要がある。これにより、クライアントＰＣからの要求に応じて即座に正確な情報を提供することができる。
【０００７】
請求項３は、前記貸出物品はゴルフクラブであり、前記物品収納手段は複数本の該ゴルフクラブを収納するゴルフクラブ収納手段であり、該各ゴルフクラブは個別のゴルフクラブ情報を記録した非接触記録媒体を備え、前記ゴルフクラブ収納手段は、収納された各ゴルフクラブに夫々付された前記物品側記録媒体と対応する位置に配置された前記物品情報リーダと、該物品情報リーダ、及び前記利用者情報リーダにより夫々読み取った情報を前記サーバに送信するとともに、前記サーバから受信した駆動信号又は解除信号に基づいて前記取出し規制手段を制御する制御手段と、を備え、前記サーバは、前記利用者情報リーダにより読み取られたＩＤに基づいて前記制御手段に対して前記駆動信号又は解除信号を送信するとともに、前記利用者毎の前記ゴルフクラブの貸出、及び返却をリアルタイムに管理して該結果を前記クライアントＰＣに送信することを特徴とする。
本発明のゴルフクラブ収納手段には、利用者情報リーダの他に、各ゴルフクラブに付された物品側記録媒体の情報を読み取る物品情報リーダが備えられている。従って、利用者がゴルフクラブ収納手段からゴルフクラブを取り出すと、そのゴルフクラブは貸し出されたものと判断し、ゴルフクラブを収納すると、返却されたと判断する。また、ゴルフクラブの取り出しを規制する取出し規制手段を駆動する制御手段が備えられ、制御手段に対してサーバは規制か解除かを判断してそれらの信号を送信する。これにより、ゴルフクラブ収納手段とサーバとはリアルタイムに情報の授受が可能となり、最小限の制御手段を備えることで本システムを構築することができる。
【０００８】
請求項４は、前記サーバは、前記利用者情報リーダにより読み取られた前記ＩＤが正規の会員であることを認証すると、前記ゴルフクラブ収納手段に備えられた前記取出し規制手段のロック状態を解除し、前記利用者情報リーダから該利用者情報記録媒体が取り除かれたことにより前記取出し規制手段を駆動してゴルフクラブをロック状態とし、前記物品情報リーダにより読み取られた前記非接触記録媒体の情報の変化を検出して前記ゴルフクラブが貸し出されたか、或いは返却されたかの履歴情報を作成することを特徴とする。
サーバが取出し規制手段のロック状態を解除するか否かは、利用者情報リーダにより読み取られたＩＤが正規の会員であるか否かによって決定する。また、取出し規制手段のロック状態への移行は、利用者情報リーダから利用者情報記録媒体が取り除かれたことにより無条件に行う。また、サーバは物品情報リーダにより読み取られた情報に基づいて各利用者ごと（ＩＤごと）に履歴情報を作成する。これにより、サーバが全てのゴルフクラブを一元的に管理することができる。
【０００９】
請求項５は、前記ゴルフクラブ収納手段に、利用者が近接したことを検知する人感センサを備え、前記制御手段は、前記人感センサにより利用者を検知しないときに、前記利用者情報リーダに前記利用者情報記録媒体がセットされていた場合、該利用者情報記録媒体が置き忘れた旨を報知する報知手段を備えたことを特徴とする。
利用者は、ゴルフクラブの貸出と返却を行うときには、必ず利用者情報リーダに利用者情報記録媒体をセットする必要がある。しかし、利用者はゴルフクラブの貸出又は返却の操作を終了した後、利用者情報記録媒体を取り出す操作を忘れることがある。この状態で利用者がゴルフクラブ収納手段から離れると、取出し規制手段のロック状態が解除のままとなり、他人がゴルフクラブを持ち出しても正規の利用者が借りたものと見做されてしまう。そこで本発明では、ゴルフクラブ収納手段に、利用者が近接したことを検知する人感センサを備え、人感センサにより利用者を検知しないときに、利用者情報リーダに利用者情報記録媒体がセットされていた場合、利用者情報記録媒体が置き忘れた旨を報知する。これにより、他人による不正な貸出を未然に防止することができる。
【発明の効果】
【００１０】
本発明によれば、物品収納手段はネットワークによりサーバと接続され、各リーダから読み取られた情報に基づいて誰が、何時、どの物品を借りて、何時に返却したかを自動的に管理する。更に、貸し出された物品の課金管理を行うためのクライアントＰＣを備えるので、物品の貸出及び返却を自動的に行うと共に、貸出物品の課金処理を確実に行うことができる。
また、サーバは物品収納手段と常時通信を行って情報の変化を検知し、利用者のチェックイン及びチェックアウトの度に、その利用者に必要な情報をクライアントＰＣに送信し、利用者に貸し出した物品ごとの貸出料を計算して課金情報としてクライアントＰＣに提供し、各利用者ごとの物品の貸出、返却の履歴情報を正確に管理するので、クライアントＰＣからの要求に応じて即座に正確な情報を提供することができる。
また、ゴルフクラブ収納手段には、利用者情報リーダの他に各ゴルフクラブに付された物品側記録媒体の情報を読み取る物品情報リーダと、ゴルフクラブの取り出しを規制する取出し規制手段を駆動する制御手段とが備えられ、制御手段に対して、サーバは規制か解除かを判断してそれらの信号を送信するので、ゴルフクラブ収納手段とサーバとはリアルタイムに情報の授受が可能となり、最小限の制御手段を備えることで本システムを構築することができる。
【００１１】
また、サーバが取出し規制手段のロック状態を解除するか否かは、利用者情報リーダにより読み取られたＩＤが正規の会員であるか否かによって決定する。また、取出し規制手段のロック状態は、利用者情報リーダから利用者情報記録媒体が取り除かれたことにより無条件に行う。また、サーバは物品情報リーダにより読み取られた情報に基づいて各利用者ごと（ＩＤごと）に履歴情報を作成するので、サーバが全てのゴルフクラブを一元的に管理することができる。
また、ゴルフクラブ収納手段に、利用者が近接したことを検知する人感センサを備え、人感センサにより利用者を検知しないときに、利用者情報リーダに利用者情報記録媒体がセットされていた場合、利用者情報記録媒体が置き忘れた旨を報知するので、他人による不正な貸出を未然に防止することができる。
【図面の簡単な説明】
【００１２】
【図１】本発明の実施形態に係るゴルフクラブ貸出システムの構成例を示すブロック図である。
【図２】（Ａ）は本発明のゴルフクラブスタンドの構成を示す斜視図であり、（Ｂ）はゴルフクラブを挿入する穴部に設けたロック機構を説明する図である。
【図３】ゴルフクラブのグリップ先端に取り付けられたＲＦＩＤタグの構成を示す部分拡大図である。
【図４】本発明のゴルフクラブ貸出システムの動作を説明するフローチャートである。
【図５】１つのゴルフスタンドに複数の会員がゴルフクラブの貸し出しと返却を行った１日の様子をサーバ内のメモリの変化で説明する図である。
【発明を実施するための形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１４】
図１は本発明の実施形態に係るゴルフクラブ貸出システムの構成例を示すブロック図である。本発明のゴルフクラブ貸出システム５０は、ゴルフクラブ（貸出物品）１０を収納し且つゴルフクラブ１０の取り出しを規制するロック装置（取出し規制手段）８、ゴルフクラブ１０に関する情報を記録したＲＦＩＤタグ（物品側記録媒体）２０を読み取るクラブ情報リーダ（物品情報リーダ）１１、ゴルフクラブ１０の利用者が所持するＩＣカード（利用者情報記録媒体）５の記録情報を読み取るＩＣカードリーダ（利用者情報リーダ）６を備えたゴルフクラブスタンド（物品収納手段）２と、ゴルフクラブ１０に関する情報並びに利用者情報の管理を行うサーバ１と、利用者のチェックイン及びチェックアウトを管理するクライアントＰＣ３と、ゴルフクラブスタンド３、サーバ１、及びクライアントＰＣ３を接続するＬＡＮ（ネットワーク）４と、を備えて構成されている。
【００１５】
また、サーバ１は、ゴルフクラブスタンド２、及びクライアントＰＣ３との通信制御、ゴルフクラブ１０に係る課金制御、及びゴルフクラブ１０に関する情報並びに利用者情報の管理を行い、ゴルフクラブスタンド２から送信された貸出ゴルフクラブ１０に関する情報、並びに利用者情報に基づいて、ロック装置８を制御すると共に、利用者毎のゴルフクラブ１０の貸し出し、及び返却を管理してこの結果をクライアントＰＣ３に送信し、クライアントＰＣ３は、この結果に基づいて利用者の課金処理を行う。
即ち、本実施形態のゴルフクラブ貸出システム５０は、ゴルフクラブ１０の貸出を無人化して、確実にゴルフクラブ１０の貸出及び返却の管理を行い、その結果、ゴルフクラブ１０の紛失及び盗難を防止するものである。そのためには、ゴルフクラブ１０の取出しを規制するロック装置８と、誰に物品の貸出を行ったかを確認するためのＩＣカードリーダ６と、どのゴルフクラブ１０が貸し出されたかを確認するクラブ情報リーダ１１と、を備えたゴルフクラブスタンド２がある。そして、ゴルフクラブスタンド２はＬＡＮ４によりサーバ１と接続され、各リーダ６、１１から読み取られた情報に基づいて誰が、何時、どのゴルフクラブを借りて、何時返却したかを自動的に管理する。更に、貸し出されたゴルフクラブの課金管理を行うための、クライアントＰＣ３を備える。これにより、ゴルフクラブの貸出及び返却を自動的に行うと共に、貸出ゴルフクラブの課金処理を確実に行うことができる。
【００１６】
また、各利用者毎のゴルフクラブの貸出及び返却情報は、リアルタイムにＬＡＮ４を介してサーバ１に通知される必要がある。従って、サーバ１はゴルフクラブスタンド２と常時、通信を行って情報の変化を検知する必要がある。また、サーバ１は、利用者のチェックイン及びチェックアウトの度に、その利用者に必要な情報をクライアントＰＣ３に送信する必要がある。また、サーバ１は、利用者に貸し出したゴルフクラブごとの貸出料金を計算して、課金情報としてクライアントＰＣ３に提供する必要がある。更に、各利用者ごとのゴルフクラブの貸出、返却の履歴情報を正確に管理する必要がある。これにより、クライアントＰＣ３からの要求に応じて即座に正確な情報を提供することができる。
【００１７】
図２（Ａ）は本発明のゴルフクラブスタンドの構成を示す斜視図であり、図２（Ｂ）はゴルフクラブを挿入する穴部に設けたロック機構を説明する図である。図２（Ａ）の本発明のゴルフクラブスタンド２は、複数本のゴルフクラブ１０を収納するゴルフクラブ収納手段であり、各ゴルフクラブ１０は個別のゴルフクラブ情報を記録したＲＦＩＤタグ（非接触記録媒体）２０を備え、ゴルフクラブスタンド２は、収納された各ゴルフクラブに夫々付されたＲＦＩＤタグ２０と対応する位置（本実施形態では底面）に配置されたクラブ情報リーダ１１と、クラブ情報リーダ１１、及び利用者情報リーダ６により夫々読み取った情報をサーバ１に送信するとともに、サーバ１から受信した駆動信号又は解除信号に基づいてロック装置８を制御する制御手段１２と、を備え、サーバ１は、利用者情報リーダ６により読み取られたＩＤに基づいて制御手段１２に対して駆動信号又は解除信号を送信するとともに、利用者毎のゴルフクラブの貸出、及び返却をリアルタイムに管理して、この結果をクライアントＰＣ３に送信する。尚、本実施形態に係るゴルフクラブスタンド２は、ゴルフクラブ１０を立てて収納しているが、特にこの構成に限定するものではなく、ゴルフクラブを横に収容する形態でも構わない。
【００１８】
また、ＩＣカードリーダ６はゴルフクラブスタンド２の上部に備えら、ゴルフクラブスタンド２に利用者が近接したことを検知する人感センサ１３と、人感センサ１３により利用者を検知しないときに、ＩＣカードリーダ６にＩＣカード５がセットされていた場合、ＩＣカード５を置き忘れた旨を報知する報知手段１４が備えられている。
また、サーバ１は、利用者情報リーダ６により読み取られたＩＤが正規の会員であることを認証すると、ゴルフクラブスタンド２に備えられたロック装置８のロック状態を解除し、利用者情報リーダ６からＩＣカード５が取り除かれたことによりロック装置８を駆動してゴルフクラブ１０をロック状態とし、クラブ情報リーダ１１により読み取られたＲＦＩＤタグ２０の情報の変化を検出してゴルフクラブ１０が貸し出されたか、或いは返却されたかの履歴情報を作成する。
【００１９】
即ち、本実施形態のゴルフクラブスタンド２には、利用者情報リーダ６の他に、各ゴルフクラブに付されたＲＦＩＤタグ２０の情報を読み取るクラブ情報リーダ１１が備えられている。従って、利用者がゴルフクラブスタンド２からゴルフクラブを取り出すと、そのゴルフクラブは貸し出されたと判断し、ゴルフクラブを収納すると、返却されたと判断する。また、ゴルフクラブの取り出しを規制するロック装置８を駆動する制御手段１２が備えられ、制御手段１２に対して、サーバ１は規制か解除かを判断してそれらの信号を送信する。これにより、ゴルフクラブスタンド２とサーバ１とはリアルタイムに情報の授受が可能となり、最小限の制御手段１２を備えることで本システムを構築することができる。
【００２０】
また、サーバ１がロック装置８のロック状態を解除するか否かは、利用者情報リーダ６により読み取られたＩＤが正規の会員であるか否かによって決定する。また、ロック装置８のロック状態は、利用者情報リーダ６からＩＣカード５が取り除かれたことにより無条件に行う。また、サーバ１はクラブ情報リーダ１１により読み取られた情報に基づいて各利用者ごと（ＩＤごと）に履歴情報を作成する。これにより、サーバ１が全てのゴルフクラブを一元的に管理することができる。
また、利用者は、ゴルフクラブの貸出と返却を行うときには、必ず利用者情報リーダ６にＩＣカード５をセットする必要がある。しかし、利用者はゴルフクラブの貸出又は返却の操作を終了した後、ＩＣカード５を取り出すのを忘れることがある。この状態で利用者がゴルフクラブスタンド２から離れると、ロック装置８のロック状態が解除のままとなり、他人がゴルフクラブを持ち出しても、正規の利用者が借りたものと見做されてしまう。そこで本実施形態では、ゴルフクラブスタンド２に、利用者が近接したことを検知する人感センサ１３を備え、人感センサ１３により利用者を検知しないときに、利用者情報リーダ６にＩＣカード５がセットされていた場合、ＩＣカード５が置き忘れた旨を報知する報知手段１４を備える。これにより、他人による不正な貸出を未然に防止することができる。
【００２１】
図２（Ｂ）はロック機構の一例を示すものであり、穴部９の径と略等しい穴を有し、左右に可動自在のロック板９ａを備え、図示しない駆動装置によりロック板９ａを左右に移動する構成である。図２（Ｂ）−（ａ）は、ロック板９ａを左側に移動して、ゴルフクラブ１０のシャフトと同じ径とすることにより、ゴルフクラブを穴部９から抜こうとすると、ゴルフクラブのグリップ１０ａに引っかかって抜くことはできない。一般に、ゴルフクラブの径はグリップ方向に向かって徐々に太くなっているためである。また、図２（Ｂ）−（ｂ）のように、ロック装置が解除されると、ロック板９ａが右側に移動して、穴部９と略重なってゴルフクラブ１０を引き抜くことができる。
【００２２】
図３はゴルフクラブのグリップ先端に取り付けられたＲＦＩＤタグの構成を示す部分拡大図である。ゴルフクラブ１０のグリップ１０ａには、先端にグリップ交換時にシャフト内の空気を抜くための穴２３が設けられている。本発明では、ゴルフクラブ１０のグリップ上部に形成された穴２３に挿通可能な凸部２２を備え、且つグリップ径と略等しい径の台座２１にＲＦＩＤタグ２０を取り付け、凸部２２を穴２３に挿通して接着剤により固定する。
【００２３】
図４は本発明のゴルフクラブ貸出システムの動作を説明するフローチャートである。まず会員は予めゴルフ練習場に会員となるための手続きをして登録しておく。そして、認証されると各会員特有のＩＤが付されたＩＣカード（会員カード）５が発行される。会員カードを発行された会員は、自分が使用したいゴルフクラブが収納されているゴルフクラブスタンドに行き、ＩＣカードリーダ６にＩＣカード５をセットする（Ｓ１）。それによりＩＣカード５に記録されているＩＤ情報がＬＡＮ４を介してサーバ１に送信される。サーバ１では、受信したＩＤが正規の会員であるか否かをチェックして（Ｓ２）、正規の会員でない場合（登録されていない）正規の会員でない旨を報知手段１４から報知する（Ｓ１２）。ステップＳ２で正規の会員であることが認証されると、現在のゴルフクラブスタンド２にセットされているゴルフクラブ情報をクラブ情報リーダ１１により読み取ってサーバ１のメモリに記憶する（Ｓ３）。
【００２４】
その後、サーバ１は制御手段１２に対してロック装置８のロックを解除する信号を送信する。これによりロック装置８がロックを解除する（Ｓ４）。それを確認した利用者は、ゴルフクラブスタンド２から必要なゴルフクラブを引き抜く。尚、ロック解除が解かれてロックするタイミングは、ＩＣカードリーダ６からＩＣカード５が取り除かれて、ＩＤ情報が読み取れなくなったときである。従って、利用者はその間に必要なゴルフクラブを引き抜くことができる。そして、ゴルフクラブの選択が終了すると、利用者はＩＣカードリーダ６からＩＣカード５を取り除く（Ｓ５でＹ）。その結果、サーバ１は制御手段１２に対してロック信号を送信してロック装置８がロックされる（Ｓ６）。
次にサーバは一人の利用者の貸し出しが完了したと判断して、最初に記憶したゴルフクラブと現在のゴルフクラブを比較して（Ｓ７）、この場合は、貸し出しなのでゴルフクラブの本数は減少しているので（Ｓ８でＮ）、ゴルフクラブが貸し出されたと判断し（Ｓ１３）、利用者ごとに貸し出したゴルフクラブのリストを作成する（Ｓ１４）。一方、ステップＳ８でゴルフクラブが増加している場合は（Ｓ８でＹ）、ゴルフクラブが返却されたと判断して（Ｓ９）、貸し出されたゴルフクラブが全て返却された否かをチェックする（Ｓ１０）。全てのゴルフクラブが返却されていない場合は（Ｓ１０でＮ）、返却されていないゴルフクラブが何であるかを利用者に報知する（Ｓ１１）。このとき、報知を無視してチェックアウトしようとすると、出口のクライアントＰＣ３にその内容が表示され、ゴルフクラブを無断で持ち出すことを未然に防止することができる。
【００２５】
図５は１つのゴルフスタンドに複数の会員がゴルフクラブの貸し出しと返却を行った１日の様子をサーバ内のメモリの変化で説明する図である。
この例では、ゴルフクラブスタンドＡを使用し、メモリの横軸にはゴルフクラブスタンドＡに収納されているゴルフクラブの種類、Ｄ（ドライバ）〜８Ｕ（８番ユーティリティ）までが記録され、縦軸に１日の時刻の経過を記している。また、会員のＩＤは、Ａ３０〜Ｄ３０の４人の会員が貸し出し、及び返却を行った場合について記載している。
【００２６】
例えば、１０月１日の８：００の時点では、全てのゴルフクラブがゴルフクラブスタンドＡに収納されている（○はゴルフクラブが存在する場合を示す）。
８：３０の時点で、会員Ａ３０がＤ、５Ｗ、５Ｉ、７Ｉ、９Ｕを貸し出したことを示している。
８：５０の時点で、会員Ｂ３０が４Ｉ、９Ｉ、ＰＷ、７Ｕを貸し出したことを示している。
９：１０の時点で、会員Ｃ３０が３Ｗ、８Ｉ、ＳＷを貸し出したことを示している。
９：４５の時点で、会員Ａ３０がＤ、５Ｗ、５Ｉ、７Ｉが返却されたことを示している。しかし、９Ｕが返却もれのためメモリには９Ｕの欄に会員Ａ３０が残っている。この状態で、ＩＣカード５をＩＣカードリーダ６から取り去ると報知手段１４から９Ｕのゴルフクラブが返却されていない旨が報知される。
１０：００の時点で、会員Ｂ３０が４Ｉ、９Ｉ、ＰＷ、７Ｕが返却されたことを示している。
１１：００の時点で、会員Ｄ３０がＤ、５Ｉ、ＰＷ、８Ｕを貸し出したことを示している。
１１：１５の時点で、会員Ｃ３０が３Ｗ、８Ｉ、ＳＷが返却されたことを示している。
１４：００の時点で、会員Ｄ３０がＤ、５Ｉ、ＰＷ、８Ｕが返却されたことを示している。
【００２７】
そして、時間が経過して営業終了時間２４：００の時点で、正常であれば全てのゴルフクラブが返却されているはずである。しかし、会員Ａ３０が報知されているにも関わらず練習場を抜けた場合でも、メモリには会員Ａ３０がゴルフクラブ９Ｕを返却していないことが記録に残っているので、後日、会員Ａ３０に連絡してその旨を伝えることができる。基本的には、チェックアウト時にゴルフクラブ９Ｕが返却されていないことが判明するので、外部に持ち出すことはできない。
【符号の説明】
【００２８】
１  サーバ、２  ゴルフクラブスタンド、３  クライアントＰＣ、４  ＬＡＮ、５  ＩＣカード、６  ＩＣカードリーダ、７  スタンド本体、８  ロック装置、９  穴部、１０  ゴルフクラブ、１１  クラブ情報リーダ、１２  制御手段、１３  人感センサ、１４  報知手段、２０  ＲＦＩＤタグ、２１  台座、２２  凸部、２３  穴、５０  ゴルフクラブ貸出システム
【図１】
2012089062.tif 000003
【図２】
2012089062.tif 000004
【図３】
2012089062.tif 000005
【図４】
2012089062.tif 000006
【図５】
2012089062.tif 000007